(57)【要約】【課題】上枠の長さ調整が可能でありながらも、枠材同士の接合性を向上し得る戸枠及びこれを好適に用い得る開口構造を提供する。【解決手段】上枠２０の長手方向両端部及び一対の縦枠１０，１４の上端部のそれぞれに、互いに接合される際に用いられる接合補助部２２，２３，１１，１５を設けた戸枠１であって、前記上枠は、長手方向途中部位を切断除去することで長さ調整可能とされており、前記上枠が長さ調整されて複数に分割された上枠部材２５，２６，２７の切断端面同士を突き合わせた状態で、これら上枠部材の切断側端部に跨るように配され、これら上枠部材を接合する接合部材２８を備えている。【選択図】図１
2015200153.tif 000002
【特許請求の範囲】
【請求項１】
上枠の長手方向両端部及び一対の縦枠の上端部のそれぞれに、互いに接合される際に用いられる接合補助部を設けた戸枠であって、
前記上枠は、長手方向途中部位を切断除去することで長さ調整可能とされており、
前記上枠が長さ調整されて複数に分割された上枠部材の切断端面同士を突き合わせた状態で、これら上枠部材の切断側端部に跨るように配され、これら上枠部材を接合する接合部材を備えていることを特徴とする戸枠。
【請求項２】
請求項１において、
前記接合部材は、前記上枠に設けられた下方側に向けて開口し長手方向に延びる凹溝の溝内面側に配される構造とされていることを特徴とする戸枠。
【請求項３】
請求項２において、
前記接合部材は、前記凹溝の溝底面に沿わせられる底片部の見込み方向両側に、前記凹溝の両溝側面に沿わせられる両側片部を設けた形状とされていることを特徴とする戸枠。
【請求項４】
請求項２において、
前記凹溝の溝側面には、見込み方向に開口し長手方向に延びる係合溝が設けられており、
前記接合部材は、前記係合溝に嵌め入れられる形状とされていることを特徴とする戸枠。
【請求項５】
請求項２乃至４のいずれか１項に記載の戸枠を用いて出入開口を形成した開口構造であって、
前記上枠に前記一対の縦枠をそれぞれ接合して三方枠状に枠組みされた前記戸枠が枠下地に固定され、前記上枠の凹溝を露出させるように、該上枠の下面側を天井パネルによって覆った構造とされていることを特徴とする開口構造。
【発明の詳細な説明】
【技術分野】
【０００１】
本発明は、上枠と一対の縦枠とを備えた戸枠及びこれを用いた開口構造に関する。
【背景技術】
【０００２】
従来より、上枠の長手方向両端部に、一対の縦枠の上端部を接合して施工される戸枠が知られている。
例えば、下記特許文献１には、縦枠の側面から横枠の木口へビス下孔を穿設し、このビス下孔の軸心に垂直に形成された横枠の孔に木栓状の補強部材を打ち込み、ビス下孔を介してこの補強部材を貫いてビスを螺入させて両枠材を連結する構造が開示されている。
【先行技術文献】
【特許文献】
【０００３】
【特許文献１】特開２００３−２０８７６号公報
【発明の概要】
【発明が解決しようとする課題】
【０００４】
上記のような縦枠及び横枠のビス下孔や補強部材は、予め工場等において設けておくことが好ましい。しかしながら、この場合には、横枠（上枠）の長さ寸法を開口部の間口寸法に応じた寸法となるように調整すべく、長手方向両端側を切断すれば、ビス下孔等が消失してしまうこととなり、更なる改善が望まれる。
【０００５】
本発明は、上記実情に鑑みてなされたものであり、上枠の長さ調整が可能でありながらも、枠材同士の接合性を向上し得る戸枠及びこれを好適に用い得る開口構造を提供することを目的としている。
【課題を解決するための手段】
【０００６】
上記目的を達成するために、本発明に係る戸枠は、上枠の長手方向両端部及び一対の縦枠の上端部のそれぞれに、互いに接合される際に用いられる接合補助部を設けた戸枠であって、前記上枠は、長手方向途中部位を切断除去することで長さ調整可能とされており、前記上枠が長さ調整されて複数に分割された上枠部材の切断端面同士を突き合わせた状態で、これら上枠部材の切断側端部に跨るように配され、これら上枠部材を接合する接合部材を備えていることを特徴とする。
【０００７】
また、本発明に係る開口構造は、本発明に係る戸枠を用いて出入開口を形成した開口構造であって、前記上枠に前記一対の縦枠をそれぞれ接合して三方枠状に枠組みされた前記戸枠が枠下地に固定され、前記上枠の凹溝を露出させるように、該上枠の下面側を天井パネルによって覆った構造とされていることを特徴とする。
【発明の効果】
【０００８】
本発明に係る戸枠は、上述のような構成としたことで、上枠の長さ調整が可能でありながらも、枠材同士の接合性を向上させることができる。また、本発明に係る開口構造は、上述のような戸枠を好適に用いて出入開口を形成することができる。
【図面の簡単な説明】
【０００９】
【図１】（ａ）、（ｂ）は、いずれも本発明の一実施形態に係る戸枠の一例を模式的に示す概略分解斜視図である。
【図２】（ａ）は、同戸枠の一部を省略した一部破断概略分解斜視図、（ｂ）は、図４に対応させた一部を省略した一部破断概略縦断面図である。
【図３】（ａ）、（ｂ）は、同戸枠の施工手順の一例を模式的に示す一部省略概略斜視図である。
【図４】同戸枠を用いた開口構造の一例を模式的に示し、図５（ａ）におけるＸ−Ｘ線矢視に対応させた一部を省略した一部破断概略縦断面図である。
【図５】（ａ）は、同開口構造を模式的に示す概略正面図、（ｂ）は、（ａ）におけるＹ−Ｙ線矢視に対応させた一部破断概略横断面図である。
【図６】（ａ）、（ｂ）は、いずれも本発明の他の実施形態に係る戸枠の一例を模式的に示し、（ａ）は、同戸枠の一部を省略した一部破断概略分解斜視図、（ｂ）は、図４に対応させた一部を省略した一部破断概略縦断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、施工された戸枠に対して、図５（ｂ）に示すＶ方向から見た状態を基準として、見込み方向手前側を前方、その逆側を後方とし、また、その状態を基準として、上下方向等の方向を説明する。
【００１１】
図１〜図５は、第１実施形態に係る戸枠及びこれを用いた開口構造の一例を模式的に示す図である。
本実施形態に係る戸枠１は、図１及び図４に示すように、上枠２０の長手方向両端部及び一対の縦枠１０，１４の上端部のそれぞれに、互いに接合される際に用いられる接合補助部２２，２３，１１，１５を設けた構成とされている。また、上枠２０は、長手方向途中部位を切断除去することで長さ調整可能とされている。また、戸枠１は、上枠２０が長さ調整されて複数に分割された上枠部材２５，２６，２７の切断端面同士を突き合わせた状態で、これら上枠部材２５，２６，２７の切断側端部に跨るように配され、これら上枠部材２５，２６，２７を接合する接合部材２８を備えている。本実施形態では、この接合部材２８を、上枠２０に設けられた下方側に向けて開口し長手方向に延びる凹溝２１の溝内面側に配される構造としている。
【００１２】
また、本実施形態に係る開口構造は、図５に示すように、この戸枠１を用いて出入開口３０を形成した構造とされている。また、この開口構造は、図３及び図４に示すように、上枠２０に一対の縦枠１０，１４をそれぞれ接合して三方枠状に枠組みされた戸枠１を枠下地３，４，４に固定した構造とされている。また、この開口構造は、上枠２０の凹溝２１を露出させるように、上枠２０の下面側を天井パネル９，９によって覆った構造とされている。
本実施形態では、この出入開口３０を開閉する建具を、引戸３１とし、戸枠１を、引戸枠としている。また、本実施形態では、引戸３１が納められる（引き込まれる）袖壁（控え壁）を設けた開口構造を示しており、一枚の引戸３１を袖壁納めで施工した開口構造を例示している。また、本実施形態では、戸枠１を、上枠２０に引戸３１を吊下支持する上レール２９を設けた上吊り型とし、床側に下レール等を設けていない開口構造を例示している。
【００１３】
この戸枠１が配される開口部２は、正面視して略矩形状とされており、その天面が、横桟やまぐさ等の横架材、このような横架材の下面側に固定された飼木（スペーサー材）等からなる上枠下地３によって構成されている。本実施形態では、図４に示すように、開口部２の天面を構成する上枠下地３を、天井面よりも上側に位置するように設けている。
また、開口部２は、その開口幅方向両側の内側面が、間柱等の柱材や、このような柱材の開口幅方向内側に固定された飼木（スペーサー材）等からなる左右両側の縦枠下地４，４によって構成されている。
また、開口部２は、その底面が、床材または床下地によって構成されている。なお、図例では、開口部２の底面を、床面５としている。
【００１４】
戸枠１は、図１〜図３に示すように、本実施形態では、上枠２０及び一対の縦枠１０，１４に加え、これら縦枠１０，１４間に配設される中方立（中間縦枠）１７を備えている。
一対の縦枠１０，１４は、図５に示すように、引戸３１の戸先側に配設される戸先側縦枠１０と、引戸３１の戸尻側に配設される戸尻側縦枠１４と、からなる。これら両側の縦枠１０，１４は、開口部２の開口高に応じた長さ寸法とされ、帯板状とされている。
また、本実施形態では、戸先側縦枠１０の見込み寸法（前後方向に沿う寸法、壁厚方向に沿う寸法）よりも、戸尻側縦枠１４の見込み寸法を袖壁に応じて小さくしている。
また、本実施形態では、戸先側縦枠１０の見込み寸法を、この戸先側縦枠１０が固定される縦枠下地４の見込み寸法（前後両側の壁下地面間寸法）よりも小さくしている。
【００１５】
また、戸先側縦枠１０の見込み方向両端部のそれぞれに、図５（ｂ）に示すように、額縁状部材１２，１３の係合片を受け入れる凹溝状の凹所を設けた構成としている。これら額縁状部材１２，１３は、係合片と壁パネル７，７に連なるように設けられるパネル側片部とを有した横断面略Ｌ字状とされている。また、これら額縁状部材１２，１３のパネル側片部は、壁厚方向に沿う寸法が壁パネル７，７と同厚さとされている。
この戸先側縦枠１０の上端部には、図１に示すように、上枠２０の長手方向一端部と互いに接合される際に用いられる接合補助部１１が設けられている。本実施形態では、戸先側縦枠１０の上端部に、見込み方向に間隔を空けて複数（図例では、２つ）の接合補助部１１，１１を設けている。このような接合補助部１１，１１としては、ねじ等の止具が挿通される枠厚さ方向に貫通する挿通孔としてもよい。
【００１６】
戸尻側縦枠１４は、その見込み寸法が戸先側縦枠１０の見込み寸法の１／２程度とされている。この戸尻側縦枠１４は、袖壁側となる見込み方向一端部（前端部）を、袖壁の後面側を構成する壁パネル７に対面させるように施工される。
また、本実施形態では、この戸尻側縦枠１４の反袖壁側となる見込み方向他端部（後端部）に、上記同様の額縁状部材１６の係合片を受け入れる凹溝状の凹所を設けた構成としている。
また、この戸尻側縦枠１４の上端部には、上枠２０の長手方向他端部と互いに接合される際に用いられる上記同様の接合補助部１５が設けられている。図例では、戸尻側縦枠１４の上端部に単一の接合補助部１５を設けた例を示している。
また、これら両側の縦枠１０，１４の互いに向き合う各内側面には、互いに向き合う方向に開口し、引戸３１の戸幅方向端部を受け入れる戸じゃくり溝が長手方向に沿って設けられている。
【００１７】
中方立１７は、開口部２の開口高に応じた長さ寸法とされ、帯板状とされている。
この中方立１７は、袖壁に応じた見込み寸法とされており、本実施形態では、その見込み寸法を袖壁の壁厚よりも小さくしている。
また、本実施形態では、この中方立１７の反引戸対面側となる見込み方向一端部（前端部）に、上記同様の額縁状部材１９の係合片を受け入れる凹溝状の凹所を設けた構成としている。
また、この中方立１７の引戸対面側となる見込み方向他端部（後端部）に、引戸３１の袖壁対面側面（前面）に摺るように接する隙間遮蔽部材（モヘア部材）を設けた例を示している。また、図例では、この中方立１７の戸尻側（袖壁側）の側面に、袖壁を構成する引戸納め側（後側）の壁パネル７の幅方向一端部を受け入れる凹溝を設けた例を示している。
【００１８】
上枠２０は、開口部２の開口幅方向に沿って長尺の帯板状とされている。
また、本実施形態では、長手方向一方側略半部の出入開口側部位の見込み寸法よりも、長手方向他方側略半部の袖壁側部位の見込み寸法が袖壁に応じて小さい寸法とされた上枠２０を例示している。この上枠２０の出入開口側部位の見込み寸法は、図４に示すように、当該上枠２０が固定される開口部２の上枠下地３の見込み寸法よりも小さい寸法とされている。
また、この上枠２０の戸先側となる長手方向一端部には、戸先側縦枠１０の上端部と互いに接合される際に用いられる接合補助部２２が設けられている。本実施形態では、上枠２０の長手方向一端部に、見込み方向に間隔を空けて複数（図例では、２つ）の接合補助部２２，２２を設けている。このような接合補助部２２，２２としては、戸先側縦枠１０の接合補助部１１，１１に連通するように設けられた止具の下穴（止着穴）としてもよい。
【００１９】
また、上枠２０の戸尻側となる長手方向他端部には、戸尻側縦枠１４の上端部と互いに接合される際に用いられる上記同様の接合補助部２３が設けられている（図４参照）。図例では、上枠２０の長手方向他端部に、単一の接合補助部２３を設けた例を示している。
なお、上枠２０の長手方向両端部の接合補助部２２，２３及び両縦枠１０，１４の上端部の接合補助部１１，１５としては、上記した例に限られない。例えば、これら接合補助部１１，１５，２２，２３を、ダボとダボ穴を組み合わせた構成としたり、係合凸部と係合凹部とを組み合わせた構成としたりしてもよい。または、接合補助部として、一方に連結ピン挿入穴を設け、他方に連結ピンが挿入される挿入部及び連結ピンに係止するカム状の連結金具を設けた態様としてもよい。その他、種々の締結金具等を接合補助部として採用するようにしてもよい。
また、図例では、この上枠２０の長手方向略中央部に、中方立１７の上端部１８が係合する係合凹所２４を設けた例を示している。
【００２０】
この上枠２０に設けられた凹溝２１は、当該上枠２０の全長に亘って設けられている。また、凹溝２１は、矩形溝状とされており、下方側に向く溝底面２１ａ及び見込み方向に向き互いに対向する両溝側面２１ｂ，２１ｂによって区画されている。
この凹溝２１の溝内面側に配される接合部材２８は、本実施形態では、図２に示すように、凹溝２１の溝底面２１ａに沿わせられる底片部２８ａの見込み方向両側に、凹溝２１の両溝側面２１ｂ，２１ｂに沿わせられる両側片部２８ｂ，２８ｂを設けた形状とされている。つまり、この接合部材２８は、底片部２８ａ及び両側片部２８ｂ，２８ｂによって、縦断面形状が、下方に向けて開口する略コ字状（略Ｕ字状または略Ｃ字状）とされている。
【００２１】
この接合部材２８は、分割された上枠部材２５，２６，２７の切断端面同士を突き合わせた状態で、これらの切断端面の面域方向に沿う位置ずれを抑制可能な形状とされている。
また、接合部材２８は、上枠２０の長手方向に長尺状とされている。この接合部材２８の上枠長手方向に沿う寸法は、分割された上枠部材２５，２６，２７の切断側端部に跨る寸法であればよく、また、接合性等の観点から適宜、設定するようにしてもよい。また、この接合部材２８は、見込み方向に沿う寸法が凹溝２１の見込み方向に沿う寸法（溝幅寸法）と略同寸法とされている。また、図例では、この接合部材２８の上下寸法を、凹溝２１の溝深さ寸法と略同寸法とした例を示している。なお、このような態様に代えて、この接合部材２８の上下寸法を、凹溝２１の溝深さ寸法よりも小さい寸法としてもよい。
【００２２】
また、接合部材２８の底片部２８ａ及び両側片部２８ｂ，２８ｂは、後記する上レール２９を凹溝２１に嵌め入れ可能なように、薄板状とされている。これら底片部２８ａ及び両側片部２８ｂ，２８ｂの厚さ寸法は、上レール２９の嵌め入れ性や、上枠部材２５，２６，２７を接合した状態における保形性等の観点から適宜、設定するようにしてもよく、例えば、０．５ｍｍ〜２ｍｍ程度としてもよい。
また、本実施形態では、図２（ａ）に示すように、接合部材２８の底片部２８ａに、上枠部材２５，２６の凹溝２１，２１の溝底にそれぞれに止着されるねじ等の止具の挿通孔を長手方向に間隔を空けて２箇所に設けた構成としている。なお、接合部材２８を上枠部材２５，２６に固定する態様としては、止具に代えて、または加えて、粘着テープ等の粘着材や接着剤等によって固定する態様としてもよい。
【００２３】
また、本実施形態では、図１（ｂ）に示すように、上枠２０の出入開口側部位及び袖壁側部位のそれぞれの途中部位を切断除去して長さ調整することで分割された３つの上枠部材２５，２６，２７を接合する２つの接合部材２８，２８を設けた構成としている。つまり、戸先側上枠部材２５と中間上枠部材２６とを接合する接合部材２８と、中間上枠部材２６と戸尻側上枠部材２７とを接合する接合部材２８と、を設けた構成としている。これら接合部材２８，２８は、互いに同様の構成とされている。
なお、図１では、上枠２０の出入開口側部位及び袖壁側部位のそれぞれの切断除去した部位の上枠長手方向に沿う寸法を略同寸法とした例を示しているが、このような態様に限られない。また、上枠２０の出入開口側部位及び袖壁側部位のうちのいずれか一方の長手方向途中部位のみを切断除去して分割された２つの上枠部材を接合する単一の接合部材２８を設けた構成としてもよい。
【００２４】
上レール２９は、上枠２０の長さ寸法と略同長さとされ、上枠２０の凹溝２１にその上側部位を嵌め込み、上枠２０に固定される。また、この上レール２９の見込み方向に沿う寸法は、上枠２０の凹溝２１に嵌め込み可能なように、凹溝２１の見込み方向に沿う寸法（溝幅寸法）に応じた寸法とされている。
この上レール２９は、図４に示すように、縦断面形状が、下方に向けて開口する略コ字状（略Ｕ字状または略Ｃ字状）とされている。また、この上レール２９の見込み方向両側片部の下端部から互いに向き合う方向に突出する両案内片に、引戸３１の上端部に連結されたランナー部材３２のローラー（転動体）が当該上レール２９の長手方向に沿って転動自在に支持される。
また、図例では、上レール２９の両側片部の下端部に、見込み方向外方側に向けてそれぞれに突出し、天井パネル９，９の上レール側端部（隙間側端部）の下端縁を覆うように該下端縁に当接または近接して配置される突片部を設けた例を示している。
【００２５】
上記した戸枠１にスライド自在に建て付けられる引戸３１は、上下寸法が床面５から天井面に概ね至る上下寸法とされている。この引戸３１の上端部には、上レール２９に支持されるランナー部材３２が連結固定されている。また、引戸３１の下端部には、床面５に固定されたガイドピン３４を受け入れるガイド溝３３が設けられている。図５（ｂ）では、単一のガイドピン３４を、中方立１７の引戸対面側に設けた例を示しているが、他の部位に設けるようにしてもよく、また、引戸３１の移動軌跡に沿って間隔を空けて複数箇所に設けるようにしてもよい。
この引戸３１は、例えば、上レール２９を上枠２０に固定する前に、そのランナー部材３２を上レール２９に支持させ、上レール２９を上枠２０に固定した後に、その上端部の取付部（カップ部）にランナー部材３２を取り付けて固定し、建て付けるようにしてもよい。
【００２６】
なお、上記した上枠２０、両縦枠１０，１４及び中方立１７並びに各額縁状部材１２，１３，１６，１９は、木質系材料等から形成されたものとしてもよい。木質系材料としては、合板やＬＶＬ（単板積層材）等の木質積層板や、パーティクルボード等の木質ボード、インシュレーションボードやＭＤＦ（中密度繊維板）等の木質繊維板などを採用するようにしてもよい。また、例えば、合成樹脂系材料に、木粉や無機フィラー、相溶化剤、着色剤などを所定の含有割合で含有させた木粉（木質）・プラスチック複合材（ＷＰＣ）や、その他の合成樹脂系材料、金属系材料等から形成されたものとしてもよい。また、施工された状態で少なくとも露出する部位に、突板や合成樹脂シート等の貼着や、塗装等によって表面化粧処理が施されたものとしてもよい。
また、接合部材２８及び上レール２９は、合成樹脂系材料や金属系材料等から形成されたものとしてもよい。
【００２７】
次に、上記した戸枠１及びこれを用いた開口構造の施工手順の一例について説明する。
まず、図１に示すように、上枠２０の長手方向途中部位を、開口部２の開口幅（間口）に応じた寸法となるように切断除去する。本実施形態では、上枠２０を、上記のように、長手方向途中部位の２箇所を切断除去し、３つの上枠部材２５，２６，２７に分割した例を示している。
そして、これら分割された長手方向に隣り合う上枠部材２５，２６，２７の切断端面同士を突き合わせた状態で、隣り合う上枠部材２５，２６，２７の切断側端部に跨るように接合部材２８，２８をそれぞれ配して固定する。本実施形態では、各接合部材２８，２８を、隣り合う上枠部材２５，２６，２７同士が突き合わせられて連通する凹溝２１に嵌め入れ、長手方向に隣り合う上枠部材２５，２６，２７同士を接合する構造としている。
【００２８】
また、図３（ａ）に示すように、上記のように接合された上枠２０の長手方向両端部に、一対の縦枠１０，１４の上端部をそれぞれ接合する。この際、各縦枠１０，１４の接合補助部１１，１５を上枠２０の接合補助部２２，２３に整合させ、ねじ等の止具を各縦枠１０，１４の外方側から捩じ込み、上枠２０と一対の縦枠１０，１４とを三方枠状に枠組みするようにしてもよい。また、中方立１７の上端部１８を、上枠２０の係合凹所２４に係合させ、ねじ等の止具によってこれらを接合するようにしてもよい。
また、このように枠組みされた上枠２０、両縦枠１０，１４及び中方立１７からなる戸枠１を、図３（ｂ）に示すように、開口部２に嵌め込むように配し、上枠下地３及び両縦枠下地４，４にねじ等の止具によって固定するようにしてもよい。また、中方立１７の下端部を適宜、床材や床下地等にねじ等の止具によって固定するようにしてもよい。
【００２９】
そして、各額縁状部材１２，１３，１６，１９を取り付ける（図５（ｂ）参照）。
また、天井パネル９，９を固定する天井下地８，８を施工し、天井パネル９，９を施工する（図２（ｂ）参照）。図例では、上枠２０の見込み方向両側に沿わせるように、かつ開口部２の幅方向に架け渡すように桟材状の天井下地８，８を設けた例を示している。また、天井パネル９，９を、上レール２９（凹溝２１）の見込み方向に沿う寸法に応じた隙間を隔てるようにして対向させるように固定した構造としている。なお、上レール２９と袖壁または袖壁下地６との間には、幅狭のスペーサー状部材を天井パネルとして固定する態様としてもよい。
次いで、図２（ｂ）及び図４に示すように、上レール２９を、その下面側を天井パネル９，９間の隙間から露出させるように上枠２０に固定する。本実施形態では、上レール２９の略全体を、天井パネル９，９間の隙間及び上枠２０の凹溝２１内に配した構造としている。このように上レール２９及びその両側の天井パネル９，９を施工した状態では、上枠２０が天井パネル９，９によって覆われた状態となる。なお、上レール２９を、開口部２の開口幅（間口）に応じた寸法となるように、長手方向一端側等を切断除去して長さ調整するようにしてもよい。
【００３０】
また、中方立１７と戸尻側の縦枠下地４との間に、袖壁を構成する袖壁下地６を形成し、袖壁下地６の前後両側を含み、前後両側の壁下地に壁パネル７，７を施工する。
そして、図５（ｂ）に示すように、各額縁状部材１２，１３，１６，１９の露出している表面及び壁パネル７，７，７，７，７の表面に、一連状に壁クロス（壁紙）等の化粧シートを貼着するようにしてもよい。なお、図２（ｂ）及び図４では、化粧シートの図示を省略している。また、天井パネル９，９の室内側面（下面）にも、同様の化粧シートを貼着するようにしてもよい。
上記のようにして、開口部２の戸尻側には、引戸３１のスライドスペースの手前側に位置するように袖壁が形成され、開口部２の戸先側には、引戸３１によって開閉される出入開口３０が形成された開口構造が構成される。
そして、適宜、引戸３１を、戸枠１に建て付ける（吊り下げる）ことで、袖壁納めの引戸構造が構成される。
なお、上記施工手順は一例に過ぎず、各部材の機能を阻害しない限りにおいて別手順で行うようにしてもよい。
【００３１】
本実施形態に係る戸枠１は、上述のような構成としたことで、上枠２０の長さ調整が可能でありながらも、枠材同士の接合性を向上させることができる。
つまり、上枠２０の長手方向両端部及び一対の縦枠１０，１４の上端部のそれぞれに、互いに接合される際に用いられる接合補助部２２，２３，１１，１５を設けている。従って、上枠２０の長手方向両端部と一対の縦枠の上端部１０，１４とを、接合補助部２２，２３，１１，１５を用いて接合することができ、接合性を向上させることができる。
また、上枠２０を、長手方向途中部位を切断除去することで長さ調整可能とされたものとしている。また、上枠２０が長さ調整されて複数に分割された上枠部材２５，２６，２７の切断端面同士を突き合わせた状態で、これら上枠部材２５，２６，２７を接合する接合部材２８を備えた構成としている。従って、上枠２０を切断して長さ調整した場合にも、分割された上枠部材２５，２６，２７同士を、接合部材２８を用いて接合することができる。つまり、上枠２０の長手方向両端側の接合補助部２２，２３を消失させることなく長さ調整を可能としながらも、接合部材２８によって、分割された上枠部材２５，２６，２７同士の切断端面の面域方向に沿う位置ずれを抑制することができる。これにより、上レール２９が嵌め込まれる上枠部材２５，２６，２７同士の凹溝２１の溝内面側のずれを抑制することができる。
【００３２】
また、本実施形態では、接合部材２８を、上枠２０の凹溝２１の溝内面側に配される構造としている。従って、上レール２９が嵌め込まれる上枠部材２５，２６，２７同士の凹溝２１の溝内面側のずれを効果的に抑制することができ、また、接合部材２８を目立ち難くすることができる。
また、本実施形態では、接合部材２８を、凹溝２１の溝底面２１ａに沿わせられる底片部２８ａの見込み方向両側に、凹溝２１の両溝側面２１ｂ，２１ｂに沿わせられる両側片部２８ｂ，２８ｂを設けた形状としている。従って、分割された上枠部材２５，２６，２７同士を接合した状態における上枠部材２５，２６，２７同士の凹溝２１の溝内面側のずれをより効果的に抑制することができる。
【００３３】
また、本実施形態に係る開口構造は、上述のような戸枠１を好適に用いて出入開口３０を形成することができる。
つまり、上枠２０に一対の縦枠１０，１４をそれぞれ接合して三方枠状に枠組みされた戸枠１を枠下地３，４，４に固定し、上枠２０の凹溝２１を露出させるように、上枠２０の下面側を天井パネル９，９によって覆った構造としている。従って、上枠２０を目立ち難くすることができ、天井までの高さとされた出入開口３０の見栄えを向上させることができる。また、本実施形態のように、上枠２０の長手方向途中部位が切断除去されて長さ調整された構造とした場合にも、上枠２０が天井パネル９，９で覆われているので、分割された上枠部材２５，２６，２７同士の継ぎ目を目立ち難くすることができる。
【００３４】
また、本実施形態では、両縦枠１０，１４及び中方立１７の見込方向端部の凹所に壁パネル７に連なるように設けられる額縁状部材１２，１３，１６，１９の係合片を嵌め入れた構造としている。また、これら額縁状部材１２，１３，１６，１９及び壁パネル７，７，７，７の表面に一連状に化粧シートを貼着した構造としている。従って、すっきりとした印象となり、見栄えを向上させることができる。つまり、従来の固定枠やケーシング枠のように、壁面から縦枠やケーシング額縁が突出せず、また、各縦枠１０，１４及び中方立１７の見付け面が目立ち難くなり、これら縦枠部分の開口縁の見栄えを向上させることができる。
つまりは、本実施形態では、各縦枠１０，１４及び中方立１７並びに上レール２９を目立ち難くすることができ、引戸３１が天井面近傍に至る上下寸法とされていることとも相俟って、すっきりとした印象を与えることができ、見栄えをより向上させることができる。
なお、このような態様に代えて、上レール２９及び上枠２０を露出させるように設けたり、各縦枠１０，１４及び中方立１７を固定枠状やケーシング枠状としたりしてもよい。
【００３５】
次に、本発明の他の実施形態に係る戸枠の一例について図面を参照して説明する。
図６は、第２実施形態に係る戸枠を模式的に示す図である。
なお、上記した第１実施形態との相違点について主に説明し、同様の構成については、同一符号を付し、その説明を省略または簡略に説明する。また、図示は省略しているが、本実施形態に係る戸枠も上記第１実施形態と同様、出入開口３０を形成する開口構造に適用可能であり、建具としての引戸３１の建て付けが可能である。
【００３６】
本実施形態に係る戸枠１Ａは、上枠２０Ａ及び接合部材２８Ａの構成が、上記第１実施形態とは主に異なる。
本実施形態では、図６に示すように、上枠２０Ａの凹溝２１Ａの溝側面２１ｂに、見込み方向に開口し長手方向に延びる係合溝２１ｃを設け、接合部材２８Ａを、係合溝２１ｃに嵌め入れられる形状としている。
また、本実施形態では、凹溝２１Ａの両溝側面２１ｂ，２１ｂのそれぞれに、係合溝２１ｃ，２１ｃを設けた構成としている。
これら係合溝２１ｃ，２１ｃは、上枠２０Ａの全長に亘って設けられている。本実施形態では、これら係合溝２１ｃ，２１ｃを、矩形溝状とした例を示している。また、図例では、これら係合溝２１ｃ，２１ｃを、これらを区画する下方側に向く面が凹溝２１Ａの溝底面２１ａに連なる面となるように、溝底面２１ａの両入隅部に設けた例を示している。なお、このような態様に代えて、係合溝２１ｃを、溝側面２１ｂの上下の途中部位に設けた態様としてもよい。
【００３７】
各係合溝２１ｃ，２１ｃにそれぞれ嵌め入れられる接合部材２８Ａ，２８Ａは、各係合溝２１ｃ，２１ｃの長手方向に長尺な形状とされている。本実施形態では、これら接合部材２８Ａ，２８Ａを、係合溝２１ｃ，２１ｃの形状に対応させて、略角柱棒状としている。また、本実施形態では、これら接合部材２８Ａ，２８Ａを、係合溝２１ｃ，２１ｃに全体が嵌め入れられる形状としている。
これら接合部材２８Ａ，２８Ａは、上記同様、止具や、粘着材、接着剤等によって係合溝２１ｃ，２１ｃに固定するようにしてもよく、または、係合溝２１ｃ，２１ｃに嵌め入れるのみで固定するようにしてもよい。
【００３８】
上記構成とされた本実施形態に係る戸枠１Ａにおいても、上記第１実施形態と概ね同様の効果を奏する。
また、本実施形態では、接合部材２８Ａを、上枠２０Ａの凹溝２１Ａの係合溝２１ｃに嵌め入れられる形状としているので、上記第１実施形態と比べて、上レール２９をより安定的に凹溝２１Ａに固定することができる。
なお、本実施形態では、凹溝２１Ａの両溝側面２１ｂ，２１ｂのそれぞれに、係合溝２１ｃ，２１ｃを設け、これらのそれぞれに嵌め入れられる接合部材２８Ａ，２８Ａを設けた例を示しているが、見込み方向一方側のみに係合溝２１ｃを設けた態様としてもよい。
【００３９】
また、上枠２０，２０Ａの凹溝２１，２１Ａの溝内面側に配される接合部材２８，２８Ａとしては、上記したような態様に限られない。例えば、凹溝２１，２１Ａの溝底面２１ａに沿うように配される薄平板状とされたようなものとしてもよく、その他、種々の形状とされたものとしてもよい。
また、上記各実施形態では、接合部材２８，２８Ａを、凹溝２１，２１Ａの溝内面側に配される構造とした例を示しているが、このような態様に限られない。例えば、接合部材２８，２８Ａを、上枠２０，２０Ａの下面側や上面側、見付け面（前後面）側等に配される構造としてもよい。
【００４０】
また、上記各実施形態では、引戸３１を、上レール２９に吊下支持される構造とした例を示しているが、このような態様に限られない。例えば、引戸３１の下端に床上や下レール上を走行する戸車やキャスター等の転動体を設けた下荷重構造としてもよい。この場合は、引戸３１の上端部に上記のようなランナー部材３２に代えて、上レール２９にガイドされるピン状のガイド部等を設けた構造としてもよい。また、この場合は、上レール２９を設けずに、上枠２０，２０Ａの凹溝２１，２１Ａ自体を、引戸の上端部のガイド溝として把握するようにしてもよい。
【００４１】
また、上記した例では、一枚の引戸３１を袖壁納めとした開口構造に適用される戸枠１，１Ａを例示しているが、このような態様に限られない。例えば、複数枚の引戸を納める袖壁を設けた開口構造や、複数枚の引戸を引き分け状に納める袖壁を開口部２の両側のそれぞれに設けた開口構造、一枚若しくは複数枚の引戸を戸袋納めとした開口構造などに適用される戸枠１，１Ａとしてもよい。または、複数枚の引戸を引き違い状に納める開口構造に適用される戸枠１，１Ａとしてもよい。さらには、引戸に代えて、建具としての折戸や開き戸等が建て付けられる戸枠１，１Ａとしてもよい。これらの場合は、戸枠１，１Ａを構成する各部材を、適宜、必要に応じて変形するようにすればよい。
【符号の説明】
【００４２】
１，１Ａ      戸枠
１０          戸先側縦枠
１１          接合補助部
１４          戸尻側縦枠
１５          接合補助部
２０，２０Ａ  上枠
２１，２１Ａ  凹溝
２１ａ        溝底面
２１ｂ        溝側面
２１ｃ        係合溝
２２，２３    接合補助部
２５          戸先側上枠部材
２６          中間上枠部材
２７          戸尻側上枠部材
２８          接合部材
２８ａ        底片部
２８ｂ        側片部
２８Ａ        接合部材
３            上枠下地
４            縦枠下地
９            天井パネル
３０          出入開口
【図１】
2015200153.tif 000003
【図２】
2015200153.tif 000004
【図３】
2015200153.tif 000005
【図４】
2015200153.tif 000006
【図５】
2015200153.tif 000007
【図６】
2015200153.tif 000008